(57)【要約】【課題】ゴルフプレーヤーのスイング感性に対応したゴルフクラブを提供する。【解決手段】中空のクラブヘッドＡに設けた貫通螺孔Ｂに螺装すると共に、中心に装着孔１２を形成した装着体１と、貫通螺孔からクラブヘッド内部に挿入できる大きさで、先端側に振動主体となる頭部２１を形成すると共に、前記頭部の基端側に、前記装着孔に螺装可能なネジ軸部２２を設けた振動体２を備えた調整部材をクラブヘッド装着すると、スイング時におけるヘッドの振動に対して前記振動体２の振動が作用する。振動体の選択とネジ軸部の螺合深さの調整で、微細な振動特性の調整が可能となる。【選択図】図１
2011050429.tif 000002
【特許請求の範囲】
【請求項１】
中空のゴルフクラブヘッドにおける適宜箇所に設けた貫通螺孔に螺装すると共に、中心に装着孔を形成した装着体と、貫通螺孔からクラブヘッド内部に挿入できる大きさで、先端側に振動主体となる頭部を形成すると共に、前記頭部の基端側に、前記装着孔に螺装可能なネジ軸部を設けた振動体とを備えたことを特徴とするゴルフクラブヘッドの調整部材。
【請求項２】
頭部に、先端から適宜な深さのスリットを設けて振動部を形成してなる請求項１記載のゴルフクラブヘッドの調整部材。
【請求項３】
装着孔を貫通孔とし、ネジ軸部の端部に回動操作部を設けてなる請求項１又は２記載のゴルフクラブヘッドの調整部材。
【請求項４】
ネジ軸部に緩み止めナット又は圧縮パッキンを付設してなる請求項１乃至３記載の何れかのゴルフクラブヘッドの調整部材。
【請求項５】
装着体が、貫通螺孔の外面側を閉塞する蓋体を兼ねてなる請求項１乃至４記載の何れかのゴルフクラブヘッドの調整部材。
【請求項６】
中空のゴルフクラブヘッドにおける適宜箇所に設けた貫通螺孔に螺装する装着部と、貫通螺孔からクラブヘッド内部に挿入できる大きさで、前記装着部に連続形成すると共に外周にネジを刻設した細軸部、及び前記細軸部に螺装した錘部からなる振動部とを備えてなることを特徴とするゴルフクラブヘッドの調整部材。
【請求項７】
装着部が、貫通螺孔の外面側を閉塞する蓋部を兼ねてなる請求項６記載のゴルフクラブヘッドの調整部材。
【請求項８】
中空のゴルフクラブヘッドを備えたゴルフクラブにおいて、クラブヘッドに所定の貫通螺孔を形成し、前記貫通螺孔に請求項１乃至７記載の何れかの調整部材を取り付けてなることを特徴とするゴルフクラブ。
【発明の詳細な説明】
【技術分野】
【０００１】
本発明は、中空のゴルフのクラブヘッドの振動を調整するヘッド調整部材及び前記調整部材を取り付けたゴルフクラブに関するものである。
【背景技術】
【０００２】
中空のゴルフクラブヘッドにおいては、ソール部分等のコア部に単数又は複数の貫通螺孔を形成して、当該螺孔に錘を羅装してクラブヘットの重心位置を調整するものが知られており、更にヘッドの振動吸収や共鳴（打撃音改善）のための部材を当該螺孔に装着することが提案されている。
【０００３】
特許文献１（特開２００４−２２２９１１号公報）には、減衰率の低い高弾性鋼によって成形された音叉形状の部材である共鳴調節部材を前記貫通螺孔に装着して、打撃音を残響させ音圧を保ち大きな打撃音を生じさせる手段が開示され、更に複数の貫通螺孔のうちから共鳴調節部材の取り付ける貫通螺孔を選択することでゴルフボールの弾道調整（スライス傾向、フック傾向、低弾道傾向、高弾道傾向のあるゴルファーに対する弾道調整）を行う手段が開示されている。
【０００４】
また特許文献２（特開２００６−１２２３３４号公報）には、貫通螺孔に螺装される減衰部材の先部に凹欠部を設け、この凹欠部に振動吸収部材を収容する構造が開示されており、減衰部材の重さ・振動吸収効果を制御（多種類の部材から選択）することによって、クラブヘッドが有するスイングにおける慣性モーメントの変更も可能であることが示されている。
【０００５】
更に特許文献３（特開２００８−１４２４７１号公報）には、貫通螺孔に変えて雌ネジを備えた凹部とし、前記凹部内に振動吸収部材（弾性部材）を充填し、凹部を閉じる蓋部材を装着し入る構造が開示されている。
【先行技術文献】
【特許文献】
【０００６】
【特許文献１】特開２００４−２２２９１１号公報。
【特許文献２】特開２００６−１２２３３４号公報。
【特許文献３】特開２００８−１４２４７１号公報。
【発明の概要】
【発明が解決しようとする課題】
【０００７】
ゴルフスイング（グリップを支点とした回転動作）においては、シャフトの硬軟、ヘッドの慣性モーメント等によってプレーヤーが振り易いとか、球を捉え易いとか、軽く感じる等の同一のクラブであってもプレーヤー自体の感性には相違がある。このためプレーヤーは自己のスイングにマッチするようにいろいろなクラブを試打してクラブ選択を行っている。
【０００８】
またクラブヘッドにおいては、前記したとおりソール部分等のコア部に単数又は複数の貫通螺孔を形成して、当該螺孔に錘（蓋体）を螺装してクラブヘットの重心位置を調整するものが知られている。しかし重量配分の変更のみではなかなかプレーヤーを満足させるクラブを得ることが困難であることも周知である。
【０００９】
ところで、クラブヘッド内に振動体（アルミニウム製）を装着すると、ゴルフスイングにどのような影響を与えるかを検証するために、図９に示すように、クラブヘッドＡの貫通螺孔Ｂに螺合装着する蓋体（使用クラブの貫通螺孔Ｂに装着されている既存の重りに、装着螺孔を設けた部品＝本発明の装着体）に、Φ６ｍｍの頭部０１の基端に、装着螺孔に螺合するネジ部０２を備えた振動体で、頭部０１の先方部分は筒状（０．５ｍｍ厚）に形成すると共に、スリット０３を入れて振動部０４とした振動体Ｃを、頭部の全長（Ｌ１＝１４．５〜２１．５ｍｍの１ｍｍきざみ）、筒状部の深さ（Ｌ２＝１０〜１７ｍｍの１ｍｍきざみ）、スリットの長さ（Ｌ３＝７．８〜９．８ｍｍで０．２ｍｍきざみ）を変更した多数の種類を用意し、各々を蓋体に一体に装着して貫通螺孔Ｂに取り付け、ハンディの異なる多数人（図１０参照）によって試打を行い、その感想を求めたところ、ある程度の傾向は認められるものの、必ずしも一定の法則を見出すことができなかった。
【００１０】
例えば頭部長さＬ１＝１７．５ｍｍ、筒状部の深さＬ２＝１３ｍｍの振動体において、スリット０３の長さＬ３＝７．８〜９．６ｍｍ（０．２ｍｍきざみ）としたものを装着して試打した結果の感想は、０．４ｍｍきざみで図１３，１４の表のとおりである（表の数字は当該感想を述べた人数である）。
【００１１】
即ち、振動体の形状が相違（Ｌ１及びＬ２の相違）する場合は勿論のこと、同一形状（Ｌ１及びＬ２が一致）の振動体でも、スリット長を僅かに変更したのみであっても、そのスイング感が大きく変わることが判明した。
【００１２】
公知の前記特許文献１に記載した共鳴調整部材は、本来は打撃音の改善のためで、打撃時のクラブヘッドの振動に共振する音叉構造であり当該共鳴調整部材の固有振動数はクラブヘッドによって一定のものとなる。従って単に共鳴調整部材の装着位置を変更したとしても、クラブ使用者の好みに合う調整ができるものとは限らない。
【００１３】
また同様に特許文献２，３に開示されている様に、クラブヘッドの振動吸収構造においても、打撃時のクラブヘッドの振動のみを考慮するものであり、スイング時のクラブヘッドの振動に関しては全く考慮されていない。
【００１４】
更に仮に前記の試打試験に使用した振動体のように、非常に多くの種類の振動体を用意しておき、その中から選択することは、現実的ではない。
【００１５】
そこで本発明は、個々のプレーヤーに対して好みのスイングが可能となるゴルフクラブヘッドの調整部材及び前記調整部材を装着したゴルフクラブを提案したものである。
【課題を解決するための手段】
【００１６】
本発明（請求項１）に係るゴルフクラブヘッドの調整部材は、中空のゴルフクラブヘッドにおける適宜箇所に設けた貫通螺孔に螺装すると共に、中心に装着孔を形成した装着体と、貫通螺孔からヘッド内部に挿入できる大きさで、先端側に振動主体となる頭部を形成すると共に、前記頭部の基端側に、前記装着孔に螺装可能なネジ軸部を設けた振動体とを備えたことを特徴とするものである。
【００１７】
従って装着体に振動体を装着してクラブヘッドに取り付けると、スイング時におけるヘッドの振動に対して前記振動体の振動が作用するので、例えば全長やスリット長の異なる振動体から適切な１個を選択することで、スイングにおけるプレーヤーの感性にある程度対応したクラブとして提供できると共に、更にネジ軸部の螺合深さの調整で、調整部材における振動体の重心位置を変更することで、更なる微細な振動特性の調整が可能となるものである。
【００１８】
また本発明（請求項３）は、前記調整部材において、特に装着孔を貫通孔とし、ネジ軸部の端部に回動操作部を設けてなるもので、外部から装着孔に操作部材（例えばネジ回し）を差し入れ、回動操作部（溝部）を操作することで、調整部材をヘッドに取り付けた状態のまま調整部材における振動体の重心位置を微調整することができる。
【００１９】
また本発明（請求項４）は、特にネジ軸部に緩み止めナット又は圧縮パッキンを付設してなるもので、ゴルフクラブの使用によって、位置調整した振動体の位置ずれ（振動体の回動）を防止するものである。
【００２０】
更に本発明（請求項５）は、装着体が、貫通螺孔の外面側を閉塞する蓋体を兼ねてなるもので、装着体を既存のクラブヘッドの貫通螺孔の形状に合致させることで、既存クラブの錘と取り換えるのみで、本発明の調整部材を採用することができる。
【００２１】
また本発明（請求項６）に係るゴルフクラブヘッドの調整部材は、中空のゴルフクラブヘッドにおける適宜箇所に設けた貫通螺孔に螺装して貫通螺孔を閉塞するネジ蓋部と、貫通螺孔からクラブヘッド内部に挿入できる大きさで、前記ネジ蓋部に連続する螺軸部と前記螺軸部に螺装した錘部からなる振動部を備えたことを特徴とするものである。
【００２２】
従って前記の請求項１記載の発明と同様に、種々の振動部（種々錘部を組み合わせた振動部）を備えた調整部材の選択をしてクラブヘッドに取り付けると共に、錘部の螺合位置の調整で、調整部材における振動部の重心位置を変更することができ、これによって更なる微細な振動特性の調整が可能となるものである。
【００２３】
また本発明（請求項８）に係るゴルフクラブは、中空のゴルフクラブヘッドを備えたゴルフクラブにおいて、クラブヘッドに所定（調整部材の取り付けに対応する）の貫通螺孔を形成し、前記貫通螺孔にゴルフクラブ使用者（プレーヤー）に適応する調整部材を取り付けてなるもので、調整部材の選択と、当該調整部材の微調整で、スイングにおけるプレーヤーの感性に対応したクラブを提供できる。
【発明の効果】
【００２４】
本発明の構成は上記のとおりで、中空のクラブヘットに振動特性の異なる調整部材を選択取り付けすると共に、更に取り付けた調整部材において、重心位置の微調整によって振動特性の微調整が可能となり、振動特性が微妙に異なる（形状の異なる）振動体をより多く用意することなく、プレーヤーの感性に細かく対応できるゴルフクラブを提供できるものである。
【図面の簡単な説明】
【００２５】
【図１】本発明の第一実施形態（第一実施例）の分解斜視図。
【図２】同使用状態（クラブヘッドへの取付状態）の説明図。
【図３】同拡大断面図。
【図４】同第二実施例の説明図で（イ）は分解斜視図、（ロ）は平面図。
【図５】同第三実施例の断面図。
【図６】同第二実施形態（第四実施例）の全体斜視図。
【図７】同第三実施形態（第五実施例）の要部の一部切断分解正面図。
【図８】同要部の取り付け状態の断面図。
【図９】試験に使用した調整部材の説明図。
【図１０】試験の試打者のハンディ説明表。
【図１１】同重心位置変更におけるクラブ使用時の感想データ表。
【図１２】同表。
【図１３】調整部材のスリット長の変更におけるクラブ使用時の感覚データ表。
【図１４】同表。
【発明を実施するための形態】
【００２６】
次に本発明の実施形態について説明する。図１乃至３に記載したのは、本発明の第一実施形態の第一実施例で、図４は同第二実施例を示し、図５が同第三実施例を示し、図６が第二実施形態（第四実施例）を示すもので、これらの実施形態に係る調整部材は、既存の中空のクラブヘッドＡの貫通螺孔Ｂに装着して使用するものである。
【００２７】
既存の中空クラブヘッドＡは、一般にフェース部、クラウン部、ホーゼル部、サイド部、ソール部を備えており、各部を各別に形成し或いは複数を一体に形成し、これを組み合わせているもので、特にクラブヘッド自体の重心位置を選択設定できるように錘を装着する貫通螺孔Ｂを単一個所或いは複数か所に備えているもので、前記貫通螺孔Ｂは当該クラブによって種々形状のものが存在するが、螺孔装着する構造が共通している。
【００２８】
第一実施例の調整部材は、装着体１と振動体２で構成されるもので、装着体２１は、当該クラブヘッドＡに装着されていた既存の錘（蓋体機能を備えているので、以下「錘蓋」と表示する）と同一外形であり、当該クラブヘッドＡの貫通螺孔Ｂに装着できるようにしたものである。
【００２９】
即ち外周面の所定位置に貫通螺孔Ｂに螺合できる外ネジ部１１を設け、更に中心に上下貫通する装着孔（内ネジ部）１２を設け、取付時にクラブヘッドＡ内を密封するパッキン１３を付設してなるものである。勿論既存の錘蓋をそのまま利用して装着孔１２を設けるようにしても良い。
【００３０】
振動体２は、全体が貫通螺孔ＢからクラブヘッドＡの内部に挿入できる大きさで、先端側の頭部２１と基端側のネジ軸部２２で構成され、頭部２１は、先端側を筒状に形成すると共に、先端から適宜な深さのスリット２１１を設けて振動部２１２を形成してなるものである。尚振動体２は頭部２１の諸寸法の異なる複数を部品として用意しておく。
【００３１】
ネジ軸部２２は、略装着孔１２の全長と下記の緩み止めナット２２２の厚さを加えた長さに対応させてなり、端部（下方先端）に溝部（回転操作部）２２１を設け、更にネジ軸部２２に緩み止めナット２２２を付設したものである。
【００３２】
而して前記調整部材は、適当と認められる振動体２のネジ軸部２２を装着体１の装着孔１２に螺合して両者を一体化し、既存のゴルフクラブＡから錘を取り外した個所に振動体２側から差し入れて、装着体１を貫通螺孔Ｂに螺合緊締してクラブヘッドＡと一体化させるものである。
【００３３】
そこで当該ゴルフクラブの使用者（プレーヤー）のスイングの状態に合わせて、適度な大きさ・形状（頭部の寸法、筒状の深さ、スリットの長さ）を備えた振動体２を選択し、更に使用者にスイングを実施させ、外部から装着孔１２に操作部材（例えばネジ回し）を差し入れ、溝部（回動操作部）を操作すると、調整部材の全長が変わって、調整部材の重心位置が微妙に変化する。
【００３４】
従って前記の重心微調整とスイング（打撃）を交互に繰り返し行って、使用者の最も好む位置を確認した後、一旦調整部材を取り外し、緩み止めナット２２２を緊締して、振動体２を固定し、再度クラブヘットＡに取り付けるものである。
【００３５】
前記の調整が効果を有するか否かの検証を行うため、頭部径（Φ）６ｍｍ、頭部長さ（Ｌ１）２２ｍｍ、筒状部の深さ（Ｌ２）１２ｍｍ、スリットの長さ（Ｌ３）３ｍｍ、ネジ軸部のピッチ１ｍｍ／３６０°の振動体を使用し、９０度きざみ（長さを０．２５ｍｍ毎伸長）で、図１０に示したプレーヤーによって試打してもらった。
【００３６】
その結果が、図１１，１２の感想表のとおりであり、振動体２の装着体からの突出長さを０．２５ｍｍの細かい調整でも、プレーヤーのスイング感想は変化するので、この調整によって個人差のあるスイング感覚に対応できることが確認できた。
【００３７】
尚微調整手段による振動体２の突出長の変化は２ミリ以下の場合が多いので、前記の緩み止めナット２２２に替えて、圧縮パッキンを採用しても不都合はない。
【００３８】
図４は第二実施例で、振動体２ａの頭部２１ａを板状にして先端よりスリット２１１ａを設けて、板状の振動部２１２ａとしたもので、前記第一実施例の筒状の振動部２１２に比較して、大きく振動し易く、スイング開始時のヘッド振動に大きな影響を与えやすい。
【００３９】
勿論微調整手段は、前記第一実施例と同様に、外部から装着孔１２を通して、ネジ軸部２２の基端に設けた溝部２２１を回動操作するものである。
【００４０】
また図５は第三実施例で、振動体２ｂの頭部２１ｂ全体が振動部として作用するようにしたもので、振動体２ｂのクラブヘッドＡの内方突出調整で微調整することは、前記の第一、二実施形態と同様である。
【００４１】
図６は第二実施形態（第四実施例）を示すもの、前記第一実施形態のように装着体１と振動体２，２ａ，２ｂの部品構成を採用して、振動体の突出位置で微調整するものでなく、別の調整手段を採用したものである。
【００４２】
この第二実施形態（第四実施例）は、前記の装着体１と対応する装着部３と、装着部３連続する細軸部４と、細軸部４に螺装される錘部５を備えてなるものである。
【００４３】
装着部３は、既存クラブヘッドＡに装着されていた錘蓋と同一の外ネジ部３１を備えて、当該クラブヘッドＡの貫通螺孔Ｂに装着できるようにしたものであり、更に細軸部４は、前記装着部３と一体にして全体をボルト形状に形成したもので、外周にネジ部４１を刻設してなり、前記ネジ部４１には、筒状の錘部５を螺装したものである。
【００４４】
特に筒状の錘部５は、貫通螺孔Ｂから差し入れられる大きさにして、その大小（直径・全長）や材質（比重）によって複数形成し、その中から選択するようにしても良い。
【００４５】
また錘部５には直径方向から中心に向かう止めビス５１を付設して緩み止めとしたり、複数の錘部５を螺合装着して互いにダブルロック構成としても良い。
【００４６】
而して前記調整部材（第四実施例）は、適当と認められる錘部５を細軸部４に螺合装着し、既存のゴルフクラブＡから錘蓋を取り外した個所に差し入れて、装着部３の外ネジ部５１を貫通螺孔Ｂに螺合緊締してクラブヘッドＡと一体化させる。
【００４７】
次に当該ゴルフクラブの使用者（プレーヤー）に、錘部５の位置を変更し、その都度スイングしてもらい、最プレーヤーに最適な錘部５の位置を決定し、当該位置で錘部５を固定し（止めビスによる固着など）、クラブヘッドＡに再度取り付けるものである。
【００４８】
従って、錘部５の選択と、錘部５の位置調整のダブル調整で、プレーヤーの最も好むスイング感を与えるゴルフクラブを提供できたものである。
【００４９】
また図７，８は第三実施形態（第五実施例）で、この実施形態は既存のゴルフクラブを採用せずに、独自のクラブヘッドを採用する場合に本願発明を適用する例を示したものである。
【００５０】
ゴルフクラブは、従前と同様にグリップ、シャフト、中空のクラブヘッドで構成され、特にクラブヘッドＡには、貫通螺孔部６を形成したもので、前記貫通螺孔部６には、蓋体７、装着体８及び振動体９で構成される調整部材を装着するものである。
【００５１】
貫通螺孔部６は、クラブヘッドＡのソール適宜個所に設けるもので、従前の錘蓋装着用のものとほぼ同一であるが、やや内方に深く形成し、下方（外側）に段差を有する蓋収納凹部６１を形成し、中間部に貫通螺孔６２を設け、先端に貫通透孔６３を設けたものである。
【００５２】
蓋体７は、蓋体収納凹部６１と対応する蓋部７１と、貫通螺孔６２に対応する外ネジ部７２を備え、蓋部底面（外面）に操作角穴７３を穿設し、蓋部外周にパッキン７４を装備させたものである。
【００５３】
装着体８は、貫通螺孔６２に螺合できる外ネジ部８１を設けると共に、貫通透孔６３から突出可能な嵌合部８２を形成し、更に中心に上下貫通する装着孔（内ネジ部）８３を設けたものである。
【００５４】
振動体９は、前記実施形態のものと同様に、全体が貫通透孔６３からクラブヘッドＡの内部に挿入できる大きさで、先端側の頭部９１と基端側のネジ軸部９２で構成され、頭部９１は、先端側を筒状に形成すると共に、先端から適宜な深さのスリット９１１を設けて振動部９１２を形成してなるものである。尚前記した振動体９は、各実施形態の振動体と同様に頭部９１の諸寸法の異なる複数を部品として用意しておく。
【００５５】
またネジ軸部９２は、前記装着孔８３の全長より充分長く設け、端部（下方先端）には、溝部（回転操作部）９２１を設けておく。
【００５６】
而して振動体９のネジ軸部９２を装着体８に螺合し、振動体９をクラブヘッドＡ内に差し入れ、装着体８を貫通螺孔６２に螺合して、嵌合部８２を貫通透孔６３に嵌合して装着体８をクラブヘッドＡと一体化する。
【００５７】
更に蓋体７を貫通螺孔６２に螺合装着して、クラブヘッドＡに形成された貫通螺孔部６を閉塞するものである。
【００５８】
プレーヤーのスイングによる調整は、前記の振動体９の選択と、蓋体７を外して溝部９２１使用して振動体９の螺合位置を操作すると、振動体９の突出長さが変わって、調整部材の重心位置が微妙に変化する。
【００５９】
従って前記の重心微調整とスイング（打撃）を交互に繰り返し行って、使用者の最も好む位置を確認した後、蓋体７を装着して使用状態とするものである。
【符号の説明】
【００６０】
１      装着体
１１    外ネジ部
１２    装着孔（内ネジ部）
１３    パッキン
２，２ａ，２ｂ  振動体
２１，２１ａ，２１ｂ  頭部
２１１，２１１ａ  スリット
２１２，２１２ａ，２１２ｂ  振動部
２２      ネジ軸部
２２１    溝部（回転操作部）
２２２    緩み止めナット
３        装着部
３１      外ネジ部
４        細軸部
４１      ネジ部
５        錘部
５１      止めビス
６        貫通螺孔部
６１      蓋収納凹部
６２      貫通螺孔
６３      貫通透孔
７        蓋体
７１      蓋部
７２      外ネジ部
７３      操作角穴
７４      パッキン
８        装着体
８１      外ネジ部
８２      嵌合部
８３      装着孔（内ネジ部）
９        振動体
９１      頭部
９１１    スリット
９１２    振動部
９２      ネジ軸部
９２１    溝部（回動操作部）
【図１】
2011050429.tif 000003
【図２】
2011050429.tif 000004
【図３】
2011050429.tif 000005
【図４】
2011050429.tif 000006
【図５】
2011050429.tif 000007
【図６】
2011050429.tif 000008
【図７】
2011050429.tif 000009
【図８】
2011050429.tif 000010
【図９】
2011050429.tif 000011
【図１０】
2011050429.tif 000012
【図１１】
2011050429.tif 000013
【図１２】
2011050429.tif 000014
【図１３】
2011050429.tif 000015
【図１４】
2011050429.tif 000016